(57)【要約】【課題】小型の接続基板を有する配線部材を提供する。【解決手段】配線部材において、２つの信号端子部２２と１つのグランド端子部２３とからなる単位端子組２１は、信号端子部２２の延びる方向と直交する方向について、２つの信号端子部２２と１つのグランド端子部２３とがこの順で並ぶように配列されている。信号端子部２２とグランド端子部２３は単位端子組２１の配列方向と直交する方向に延びている。単位端子組２１の２つの信号端子部２２の配列ピッチは、これらにそれぞれ接続されている対にされた２本の同軸ケーブル３０のピッチＰ１に等しく、隣接する単位端子組２１にそれぞれ接続された互いに近い側の２本の同軸ケーブル３０のピッチＰ２が、ピッチＰ１よりも広い状態であって、ピッチＰ２はピッチＰ１の２倍であり、複数の同軸ケーブル３０の並列状態を樹脂フィルム４１が維持している。【選択図】図３
2018137239.tif 000002
【特許請求の範囲】
【請求項１】
中心導体、前記中心導体の外周に配設された内部絶縁体、前記内部絶縁体の外周に配設された外部導体、前記外部導体の外周に配設された外被、をそれぞれ有する複数の同軸ケーブルと、平面状に配列された複数の前記同軸ケーブルの並列面の少なくとも一方に接着されて複数の前記同軸ケーブルの並列状態を維持する樹脂フィルムと、を有する同軸フラットケーブルと、
前記同軸フラットケーブルの長手方向の少なくとも一方の端部に接続された接続基板と、を有し、
前記接続基板は、２本の前記同軸ケーブルのそれぞれの前記中心導体がハンダ付けされた直線状の２つの信号端子部と、少なくとも一つの前記同軸ケーブルの前記外部導体に電気的に接続された１つの直線状のグランド端子部とからなる単位端子組を複数有し、
複数の前記単位端子組は、前記信号端子部の延びる方向と直交する方向について、２つの前記信号端子部と１つの前記グランド端子部とがこの順で並ぶように配列されており、
前記信号端子部と前記グランド端子部は前記単位端子組の配列方向と直交する方向に延び、
前記単位端子組の２つの前記信号端子部の配列ピッチは、これらにそれぞれ接続されている対にされた２本の前記同軸ケーブルのピッチＰ１に等しく、
隣接する前記単位端子組にそれぞれ接続された互いに近い側の２本の前記同軸ケーブルのピッチＰ２が、前記ピッチＰ１よりも広い状態で、複数の前記同軸ケーブルの並列状態を前記樹脂フィルムが維持し、
前記ピッチＰ２は前記ピッチＰ１の２倍である、配線部材。
【請求項２】
前記樹脂フィルムの長さ方向の端部から露出された前記外被が前記接続基板に接着されている、請求項１に記載の配線部材。
【請求項３】
前記樹脂フィルムの長さ方向の端部が、前記同軸ケーブルの前記外被と前記接続基板との間に位置するように、前記同軸ケーブルの前記外被に接着されている、請求項１に記載の配線部材。
【請求項４】
前記樹脂フィルムの前記端部が前記接続基板に接着されることにより、前記同軸ケーブルが前記接続基板に固定されている、請求項３に記載の配線部材。
【請求項５】
前記同軸ケーブルの露出された前記外部導体と、それより先端側の部分が保護フィルムで覆われている、請求項１に記載の配線部材。
【請求項６】
前記保護フィルムは、前記同軸ケーブルの露出された前記外被と前記接続基板とに跨って接着されている、請求項５に記載の配線部材。
【請求項７】
前記単位端子組のそれぞれの前記グランド端子部は、前記同軸ケーブルの前記外被付近の部分が、パッド部によって連結されており、
少なくとも一つの前記同軸ケーブルの前記外部導体は、前記パッド部にハンダ付けされている、請求項１に記載の配線部材。
【請求項８】
少なくとも一つの前記同軸ケーブルの前記外部導体が前記配列方向に延びるグランドバーにハンダ付けされ、前記グランド端子部が前記グランドバーに電気的に接続されている、請求項１に記載の配線部材。
【請求項９】
前記同軸フラットケーブルの端部において、先端に向かって、前記外部導体、前記内部絶縁体、前記中心導体がこの順に段階的に露出されており、
前記内部絶縁体から露出された前記中心導体のそれぞれが、前記接続基板の前記信号端子部にハンダ付けされている、請求項１から請求項８のいずれか一項に記載の配線部材。
【請求項１０】
複数の前記同軸ケーブルの前記並列面の両面に前記樹脂フィルムが設けられている、請求項１から請求項９のいずれか一項に記載の配線部材。
【請求項１１】
前記接続基板は、単位端子組の配列方向の端部に設けられた前記信号端子部と隣接する位置に設けられ、前記単位端子組の配列方向と直交する方向に長い付加グランド端子部を有する、請求項１から請求項１０のいずれか一項に記載の配線部材。
【請求項１２】
前記同軸ケーブルは、単芯の同軸ケーブルである、請求項１から請求項１１のいずれか一項に記載の配線部材。
【発明の詳細な説明】
【技術分野】
【０００１】
本発明は、同軸フラットケーブルを有する配線部材に関する。
【背景技術】
【０００２】
複数の同軸ケーブルの端部が接続基板に接続された同軸ケーブルハーネスが特許文献１に知られている。
【先行技術文献】
【特許文献】
【０００３】
【特許文献１】日本国特許５３５３６３４号
【発明の概要】
【発明が解決しようとする課題】
【０００４】
ケーブルハーネス（配線部材）には、さらなる小型化が要請されている。しかし、特許文献１の配線部材には、さらに小型化できる余地がある。
そこで本発明は、コンパクトな端部を有する配線部材を提供することを目的とする。
【課題を解決するための手段】
【０００５】
本発明に係る配線部材は、
中心導体、前記中心導体の外周に配設された内部絶縁体、前記内部絶縁体の外周に配設された外部導体、前記外部導体の外周に配設された外被、をそれぞれ有する複数の同軸ケーブルと、平面状に配列された複数の前記同軸ケーブルの並列面の少なくとも一方に接着されて複数の前記同軸ケーブルの並列状態を維持する樹脂フィルムと、を有する同軸フラットケーブルと、
前記同軸フラットケーブルの長手方向の少なくとも一方の端部に接続された接続基板と、を有し、
前記接続基板は、２本の前記同軸ケーブルのそれぞれの前記中心導体がハンダ付けされた直線状の２つの信号端子部と、少なくとも一つの前記同軸ケーブルの前記外部導体に電気的に接続された１つの直線状のグランド端子部とからなる単位端子組を複数有し、
複数の前記単位端子組は、前記信号端子部の延びる方向と交差する方向について、２つの前記信号端子部と１つの前記グランド端子部とがこの順で並ぶように配列されており、
前記信号端子部と前記グランド端子部は前記単位端子組の配列方向と直交する方向に延び、
前記単位端子組の２つの前記信号端子部の配列ピッチは、これらにそれぞれ接続されている対にされた２本の前記同軸ケーブルのピッチＰ１に等しく、
隣接する前記単位端子組にそれぞれ接続された互いに近い側の２本の前記同軸ケーブルのピッチＰ２が、前記ピッチＰ１よりも広い状態で、複数の前記同軸ケーブルの並列状態を前記樹脂フィルムが維持している。
【発明の効果】
【０００６】
本発明によれば、コンパクトな端部を有する配線部材が提供される。
【図面の簡単な説明】
【０００７】
【図１】本発明の第一実施形態に係る配線部材の上面図である。
【図２】図１に示した配線部材の同軸フラットケーブルの断面図である。
【図３】図１に示した配線部材の端部を拡大して示す上面図である。
【図４】図３の側断面図である。
【図５】第一実施形態と比較例の接続基板の上面図である。
【図６】本発明の第二実施形態に係る配線部材の接続基板を示す上面図である。
【図７】本発明の第三実施形態に係る配線部材の接続基板を示す図である。
【図８】本発明の第四実施形態に係る配線部材の側断面図である。
【発明を実施するための形態】
【０００８】
〈本発明の実施形態の概要〉
最初に本発明の実施形態の概要を説明する。
（１）  本発明の一態様にかかる配線部材は、
中心導体、前記中心導体の外周に配設された内部絶縁体、前記内部絶縁体の外周に配設された外部導体、前記外部導体の外周に配設された外被、をそれぞれ有する複数の同軸ケーブルと、平面状に配列された複数の前記同軸ケーブルの並列面の少なくとも一方に接着されて複数の前記同軸ケーブルの並列状態を維持する樹脂フィルムと、を有する同軸フラットケーブルと、
前記同軸フラットケーブルの長手方向の少なくとも一方の端部に接続された接続基板と、を有し、
前記接続基板は、２本の前記同軸ケーブルのそれぞれの前記中心導体がハンダ付けされた直線状の２つの信号端子部と、少なくとも一つの前記同軸ケーブルの前記外部導体に電気的に接続された１つの直線状のグランド端子部とからなる単位端子組を複数有し、
複数の前記単位端子組は、前記信号端子部の延びる方向と直交する方向について、２つの前記信号端子部と１つの前記グランド端子部とがこの順で並ぶように配列されており、
前記信号端子部と前記グランド端子部は前記単位端子組の配列方向と直交する方向に延び、
前記単位端子組の２つの前記信号端子部の配列ピッチは、これらにそれぞれ接続されている対にされた２本の前記同軸ケーブルのピッチＰ１に等しく、
隣接する前記単位端子組にそれぞれ接続された互いに近い側の２本の前記同軸ケーブルのピッチＰ２が、前記ピッチＰ１よりも広い状態で、複数の前記同軸ケーブルの並列状態を前記樹脂フィルムが維持している。
【０００９】
（１）の構成によれば、単位端子組内の２つの信号端子部のピッチと、これらの信号端子部にハンダ付けされ対にされた２本の同軸ケーブルのピッチとが等しく、信号端子部とグランド端子部とが配列方向と直交する方向に直線状に延びている。このため、長手方向の一方の端部から他方の端部に亘って、接続基板の信号端子部およびグランド端子部の隙間を、ハンダ付け時の短絡防止のために必要とされる最小限の大きさとすることができる。このため、単位端子組の配列方向の寸法について、接続基板をコンパクトに構成しやすく、端部がコンパクトな配線部材を提供することができる。
【００１０】
（２）前記樹脂フィルムの長さ方向の端部から露出された前記外被が前記接続基板に接着されている。
（２）の構成によれば、接続基板の表面と露出された中心導体との距離が小さくなり、露出された中心導体を大きく変形させずに信号端子部にハンダ付けすることができる。
【００１１】
（３）前記樹脂フィルムの長さ方向の端部が、前記同軸ケーブルの前記外被と前記接続基板との間に位置するように、前記同軸ケーブルの前記外被に接着されている。
（３）の構成によれば、接続基板の端部で同軸フラットケーブルが曲げられる時に同軸ケーブルの曲げに対する強度を高めることができる。
【００１２】
（４）前記樹脂フィルムの前記端部が前記接続基板に接着されることにより、前記同軸ケーブルが前記接続基板に固定されている。
（４）の構成によれば、樹脂フィルムによって、同軸フラットケーブルと接続基板との接続強度を高めることができる。
【００１３】
（５）前記同軸ケーブルの露出された前記外部導体と、それより先端側の部分が保護フィルムで覆われている。
（５）の構成によれば、外部導体および中心導体が保護フィルムで保護され、導体間の短絡を防止する。また、導体が剥がれることも防止する。
【００１４】
（６）前記保護フィルムは、前記同軸ケーブルの露出された前記外被と前記接続基板とに跨って接着されている。
（６）の構成によれば、保護フィルムによって同軸フラットケーブルと接続基板との接続強度を高めることができる。
【００１５】
（７）前記単位端子組のそれぞれの前記グランド端子部は、その前記同軸ケーブルの前記外被付近の部分が、パッド部によって連結されており、
少なくとも一つの前記同軸ケーブルの前記外部導体は、前記パッド部にハンダ付けされている。
（７）の構成によれば、パッド部によって外部導体とグランド端子部とを電気的に接続しやすい。
【００１６】
（８）少なくとも一つの前記同軸ケーブルの前記外部導体が前記配列方向に延びるグランドバーにハンダ付けされ、前記グランド端子部が前記グランドバーに電気的に接続されている。
（８）の構成によれば、グランドバーによって各同軸ケーブルの外部導体を共通して接地してグランド電位を安定させることができる。
【００１７】
（９）前記ピッチＰ２が、前記ピッチＰ１の２倍である。
（９）の構成によれば、同軸フラットケーブルの作製時に同軸ケーブルを並列することが容易である。
【００１８】
（１０）前記同軸フラットケーブルの端部において、先端に向かって、前記外部導体、前記内部絶縁体、前記中心導体がこの順に段階的に露出されており、
前記内部絶縁体から露出された前記中心導体のそれぞれが、前記接続基板の前記信号端子部にハンダ付けされている。
（１０）の構成によれば、それぞれの同軸ケーブルにおいて、中心導体と外部導体との短絡を防止できる。
【００１９】
（１１）複数の前記同軸ケーブルの前記並列面の両面に前記樹脂フィルムが設けられている。
（１１）の構成によれば、同軸ケーブルの並列状態が強固に維持される。
【００２０】
（１２）前記接続基板は、単位端子組の配列方向の端部に設けられた前記信号端子部と隣接する位置に設けられ、前記単位端子組の配列方向と直交する方向に長い付加グランド端子部を有する。
（１２）の構成によれば、単位端子組の配列方向について信号端子部がグランド端子部および付加グランド端子部で挟まれる。これにより、配線部材の伝送特性を高めることができる。
【００２１】
〈本発明の実施形態の詳細〉
以下、本発明に係る配線部材の実施の形態の例を、図面を参照して説明する。なお、本発明はこれらの例示に限定されるものではなく、特許請求の範囲によって示され、特許請求の範囲と均等の意味および範囲内でのすべての変更が含まれることが意図される。
【００２２】
＜第一実施形態＞
本発明の第一実施形態に係る配線部材１は、例えば基板や回路を電気的に接続するために用いられる。配線部材１は、差動信号を伝送するために好適に用いられる。
【００２３】
図１は、本発明の第一実施形態に係る配線部材１の上面図である。図１に示したように、配線部材１は、長手方向に延びる同軸フラットケーブル１０と、同軸フラットケーブル１０の長手方向の両端部に設けられた接続基板２０とを備えている。
【００２４】
図２は、図１に示した配線部材１の同軸フラットケーブル１０の断面図である。図２に示したように、同軸フラットケーブル１０は、複数本（図示の例では４本）の同軸ケーブル３０と、同軸ケーブル３０に貼り付けられた樹脂フィルム４１とを備えている。各々の同軸ケーブル３０は、例えば、外径０．１６ｍｍ〜０．３ｍｍの同軸ケーブルを用いることができる。
【００２５】
同軸ケーブル３０は、中心導体３１、内部絶縁体３２、外部導体３３、外被３４と、を備える単芯の同軸ケーブルである。内部絶縁体３２は、中心導体３１の外周に配設されている。外部導体３３は、内部絶縁体３２の外周に配設されている。外被３４は、外部導体３３の外周に配設されている。中心導体３１は、例えば、銅などの金属線である。中心導体３１として、ＡＷＧ４２〜４７のワイヤーを用いることができる。内部絶縁体３２および外被３４は絶縁性の樹脂からなる。
【００２６】
複数の同軸ケーブル３０は、平面状に配列されている。樹脂フィルム４１は、同軸ケーブル３０のなす並列面の両面に接着されて、同軸ケーブル３０の並列状態を維持している。樹脂フィルム４１には、例えば、厚さ数μｍ〜数十μｍ、好ましくは８μｍ〜２０μｍのポリエチレンテレフタレートのフィルムを用いることができる。同軸ケーブル３０の外被３４と樹脂フィルム４１とが接着剤により接着されている。なお、樹脂フィルム４１は、同軸ケーブル３０のなす並列面の一方にのみ接着してもよい。本実施形態では、並列面の両面に樹脂フィルム４１が接着されているため、同軸ケーブル３０の並列状態を強固に維持しやすい。
【００２７】
図３は、図１に示した配線部材１の端部を拡大して示す上面図である。図３に示すように、同軸フラットケーブル１０の長手方向の端部には、接続基板２０が接続されている。
同軸フラットケーブル１０の端部では、樹脂フィルム４１から同軸ケーブル３０の各部材が段階的に露出されている。具体的には、樹脂フィルム４１から外被３４が露出され、外被３４から外部導体３３が露出され、外部導体３３から内部絶縁体３２が露出され、内部絶縁体３２から中心導体３１が露出されている。
【００２８】
接続基板２０は、例えば、金属箔などからなる配線パターンを有するフレキシブル基板や硬質基板により構成されている。接続基板２０には、２つの信号端子部２２と１つのグランド端子部２３とからなる複数の単位端子組２１が設けられている。信号端子部２２とグランド端子部２３は、同軸ケーブル３０の長手方向に直線状に延びている。信号端子部２２は同軸ケーブル３０の中心導体３１に電気的に接続され、グランド端子部２３は同軸ケーブル３０の外部導体３３に電気的に接続されている。
【００２９】
１つの単位端子組２１において、２つの信号端子部２２には、対をなす２本の同軸ケーブル３０から露出された中心導体３１がそれぞれハンダ付けされている。ここで、信号端子部２２は、信号端子部２２に接続された中心導体３１を含む同軸ケーブル３０の長手方向に一直線状に並べられている。
本実施形態では、同軸ケーブル３０の端部が段階的に露出され、内部絶縁体３２が中心導体３１と外部導体３３との短絡を防止する。
【００３０】
グランド端子部２３は、信号端子部２２と同じ方向に延びている。グランド端子部２３の外被３４に近い側の端部は、信号端子部２２の端部よりも、外被３４に近い側まで延ばされている。複数のグランド端子部２３の外被３４に近い側の端部は、パッド部２５により互いに接続されている。パッド部２５は、同軸ケーブル３０の長手方向に直交する方向に延びる。
少なくとも１本（図示の例では全て）の同軸ケーブル３０の外部導体３３がパッド部２５にハンダ付けされ、パッド部２５を介して外部導体３３とグランド端子部２３とが電気的に接続されている。パッド部２５によって、外部導体３３をグランド端子部２３に電気的に接続しやすい。
【００３１】
図４は、図３の側断面図であり、同軸ケーブル３０の端部周辺の構造を同軸ケーブル３０の長手方向に沿った断面で示している。図４に示したように、樹脂フィルム４１の長さ方向の端部から露出された外被３４が、接着剤５１を介して接続基板２０に接着されている。露出された外被３４を直接、接続基板２０に接着するため、中心導体３１と接続基板２０の表面との距離が短くなり、同軸ケーブル３０を大きく曲げることなく中心導体３１を信号端子部２２にハンダ付けできる。
中心導体３１は、ハンダ５２を介して信号端子２２に接続されている。外部導体３３は、ハンダ５３を介してパッド部２５に接続されている。
【００３２】
（保護フィルム）
同軸ケーブル３０の露出された外部導体３３と、それより先端側の部分が樹脂製の保護フィルム４２で覆われている。保護フィルム４２は、同軸ケーブル３０の露出された外被３４と接続基板２０とに跨って接着されている。保護フィルム４２は、接続基板２０の同軸ケーブル３０が設けられた側の面に接着されている。本実施形態では、保護フィルム４２は、一方の樹脂フィルム４１と、樹脂フィルム４１から露出された外被３４と外部導体３３と内部絶縁体３２と中心導体３１、および接続基板２０とに跨るように接着されている。この保護フィルム４２により、樹脂フィルム４１から露出された同軸ケーブル３０が保護されている。保護フィルム４２により、中心導体３１や外部導体３３に導電性の物がついて短絡したり、同軸ケーブル３０の先端が接続基板２０から剥がれることを防止する。
【００３３】
（補強フィルム）
また、他方の樹脂フィルム４１と、接続基板２０とに跨って、樹脂製の補強フィルム４３が接着されている。補強フィルム４３は、接続基板２０の同軸ケーブル３０が設けられた側と反対の面に接着されている。保護フィルム４２および補強フィルム４３によって、同軸フラットケーブル１０と接続基板２０との接続部分の強度が高められている。
なお、本実施形態では、保護フィルム４２や補強フィルム４３を設けた例を説明したが、これらを設けなくてもよい。
【００３４】
図３に示したように、接続基板２０に設けられた複数組（図示の例では２つ）の単位端子組２１は、信号端子部２２の延びる方向と交差する方向について、信号端子部２２、信号端子部２２、グランド端子部２３が、この順で並ぶように配列されている。また、信号端子部２２とグランド端子部２３は、この単位端子組２１の配列方向と直交する方向に長い。
【００３５】
１つの単位端子組２１のうち、２つの信号端子部２２の配列ピッチと、２つの信号端子部２２に接続されている対をなす２本の同軸ケーブル３０のピッチＰ１とが等しくされている。なお、ここでいうピッチとは、信号端子部２２の中心同士の間隔、および、同軸ケーブル３０の中心同士の間隔を言う。また、隣接する単位端子組２１にそれぞれ接続された互いに近い側の２本の同軸ケーブル３０のピッチＰ２が、ピッチＰ１よりも広くされた状態で、樹脂フィルム４１により同軸ケーブル３０の並列状態が維持されている。同軸ケーブル３０は単芯の同軸ケーブルであるので、同軸ケーブル３０の配列を個別に調整することができ、ピッチＰ１、Ｐ２の調整を行い易い。本実施形態では、ピッチＰ２がピッチＰ１の２倍に設定されている。これにより、信号端子部２２およびグランド端子部２３を同じ幅でかつ同じ隙間となるように規則的に配列して接続基板２０を作製することができる。
【００３６】
同軸フラットケーブル１０を作製する際には、同軸ケーブル３０が巻かれた複数のリールから、複数本の同軸ケーブル３０が平面状に配列するように送り出す。さらに、樹脂フィルム４１が巻かれたリールから、樹脂フィルム４１を、同軸ケーブル３０の並列面の少なくとも一方に貼り付けるように送り出す。このとき、二対の同軸ケーブル３０を、互いに対の間に１本分の同軸ケーブル３０の隙間を空けて、配列させながら、同軸ケーブル３０を送り出すことにより、ピッチＰ２がピッチＰ１の２倍の同軸フラットケーブルを作製することができる。
【００３７】
本実施形態では、接続基板２０は、単位端子組２１の配列方向の端部に設けられた信号端子部２２と隣接する位置に設けられ、単位端子組２１の配列方向と直交する方向に長い付加グランド端子部２４を有している。これにより、単位端子組２１の配列方向に関して、信号端子部２２がグランド端子部２３と付加グランド端子部２４に挟まれ、配線部材１の電気的特性が高まる。
【００３８】
単位端子組２１の２つの信号端子部２２および、これらに接続された中心導体３１を使って、一対の信号が伝達される。また、外部導体３３とグランド端子部２３と付加グランド端子部２４によって、アース電位が確保される。
【００３９】
図５の（ａ）は本実施形態の接続基板２０の上面図であり、図５の（ｂ）は特許文献１に記載の比較例に係る接続基板の上面図である。
図５の（ａ）に示すように、本実施形態の配線部材１によれば、直線状の信号端子部２２および直線状のグランド端子部２３とが、単位端子組２１の配列方向に並んでいるので、信号端子部２２同士の間隔および信号端子部２２とグランド端子部２３／付加グランド端子部２４同士の間隔が、同軸ケーブル３０の長手方向に亘って変化しない。
そこで、信号端子部２２およびグランド端子部２３の長手方向の一方の端部から他方の端部に亘って、信号端子部２２同士の間隔および信号端子部２２とグランド端子部２３／付加グランド端子部２４同士の間隔を、同軸ケーブル３０を並列して中心導体３１を信号端子部２２にハンダ付けする際に必要とされる最小の大きさの隙間ｄ（以降、単に最小隙間ｄと表記する）とすることができる。これにより、接続基板２０の幅寸法（単位端子組２１の配列方向の寸法）を小型に構成しやすい。
最小隙間ｄは、中心導体３１をハンダ付けするために必要な端子の幅と同軸ケーブル３０の外径とから決まる。例えば、この最小隙間ｄは、例えばＡＷＧ＃４４の同軸ケーブルを並列する場合は０．１２ｍｍである。このとき、線のピッチは０．３ｍｍである。この問題は、細い同軸ケーブル３０を使って配線部材１を構成する場合に、より顕著となる。
【００４０】
一方で、図５の（ｂ）に示したように、比較例に係る配線部材においては、接続基板１２０上の信号端子部１２２を長手方向に対する垂直方向に屈曲させて配線させている。すると、同軸フラットケーブル１０に近い側において、信号端子部１２２とグランド端子部１２３との間隔を、最小隙間ｄとしても、同軸フラットケーブル１０から遠い側において、信号端子部１２２とグランド端子部１２３との間隔が最小隙間ｄよりも大きい間隔Ｄとなってしまう。このため、接続基板１２０の幅寸法が、実施形態の接続基板２０の幅寸法より大きくなってしまう。
このように、本実施形態の配線部材１によれば、特許文献１の配線部材に比べて接続基板２０を小型化しやすく、コンパクトな端部を有する配線部材１を提供することができる。
【００４１】
なお、接続基板に設ける信号端子部およびグランド端子部の形状は上述した実施形態のものに限られない。本発明は、例えば、以下に説明する第二実施形態から第四実施形態の配線部材も含む。なお、以下に説明する第二実施形態から第四実施形態において、第一実施形態と同一の部材には同一の符号を付して、その説明を省略する。
【００４２】
＜第二実施形態＞
図６は、本発明の第二実施形態に係る配線部材の接続基板２２０を示す上面図である。図６に示したように、パッド部２２５を単位端子組２２１の配列方向に不連続となるように設け、外部導体３３を最寄のパッド部２２５にハンダ付けしてもよい。  なお、パッド部２２５は、信号端子部２２２の延長線上まで延ばすことが好ましい。中心導体３１が信号端子部２２２にハンダ付けされた同軸ケーブル３０の外部導体３３を、そのままの姿勢で、パッド部２２５にハンダ付けできる。
【００４３】
なお、第二実施形態のように、各々のグランド端子部２２３および付加グランド端子部２２４を互いに電気的に接続しなくてもよいが、上述した第一実施形態のように、全てのグランド端子部２２３および付加グランド端子部２２４が互いに電気的に接続されていることが好ましい。
【００４４】
＜第三実施形態＞
図７の（ａ）は接続基板３２０の上面図であり、図７の（ｂ）は接続基板３２０の斜視図である。
図７の（ａ）および（ｂ）に示すように、本実施形態に係る接続基板３２０には、パッド部の替わりに、グランドバー３２５が設けられている。グランドバー３２５は、直線状の導電性の部材である。グランドバー３２５は、長手方向が単位端子組２１の配列方向に沿って延びるように、接続基板３２０に設けられている。グランドバー３２５は、信号端子部２２よりも同軸フラットケーブル１０側に突出した複数のグランド端子部２３を横切るように、設けられている。外被３４から露出された外部導体３３がグランドバー３２５にハンダ付けされ、グランドバー３２５がグランド端子部２３および付加グランド端子部２４にハンダ付けされている。グランドバー３２５によって、各同軸ケーブル３０の外部導体３３が共通のグランド電位となる。
【００４５】
＜第四実施形態＞
図８は、本発明の第四実施形態に係る配線部材の接続基板４２０を含む側断面図である。図８に示したように、樹脂フィルム４１の長さ方向の端部が、同軸ケーブル３０の外被３４と接続基板４２０との間に位置するように、同軸ケーブル３０の外被３４に接着されていてもよい。
このとき、樹脂フィルム４１の端部が接続基板４２０に接着されることにより同軸ケーブル３０が接続基板４２０に固定されていることが好ましい。接続基板４２０上の樹脂フィルム４１によって、同軸ケーブル３０を接続基板４２０に対してしっかりと支持することができる。
【００４６】
上述した第二実施形態から第四実施形態の配線部材についても、第一実施形態の接続基板２０と同様に、接続基板２２０，３２０，４２０は、２本の同軸ケーブル３０のそれぞれの中心導体３１がハンダ付けされた直線状の２つの信号端子部２２と、少なくとも一つの同軸ケーブル３０の外部導体３３に電気的に接続された１つの直線状のグランド端子部２３とからなる単位端子組２１を複数有する。複数の単位端子組２１は、信号端子部２２の延びる方向と交差する方向について、２つの信号端子部２２と１つのグランド端子部２３とがこの順で並ぶように配列されている。信号端子部２２とグランド端子部２３は単位端子組２１の配列方向と直交する方向に延びている。単位端子組２１の２つの信号端子部２２の配列ピッチは、これらにそれぞれ接続されている対にされた２本の同軸ケーブル３０のピッチＰ１に等しい。隣接する単位端子組２１にそれぞれ接続された互いに近い側の２本の同軸ケーブル３０のピッチＰ２が、ピッチＰ１よりも広い状態で、複数の同軸ケーブル３０の並列状態を樹脂フィルム４１が維持している。
このため、信号端子部２２およびグランド端子部２３の長手方向の一方の端部から他方の端部に亘って、信号端子部２２同士の間隔および信号端子部２２とグランド端子部２３／付加グランド端子部２４同士の間隔を、同軸ケーブル３０を並列して中心導体３１を信号端子部２２にハンダ付けする際に必要とされる最小の大きさの隙間ｄとすることができる。これにより、接続基板２０の幅寸法を小型に構成しやすい。よって、端部のコンパクトな配線部材１を提供することができる。
【符号の説明】
【００４７】
１：配線部材
１０：同軸フラットケーブル
２０：接続基板
２１：単位端子組
２２：信号端子部
２３：グランド端子部
２４：付加グランド端子部
２５：パッド部
３０：同軸ケーブル
３１：中心導体
３２：内部絶縁体
３３：外部導体
３４：外被
４１：樹脂フィルム
４２：保護フィルム
４３：補強フィルム
３２５：グランドバー
【図１】
2018137239.tif 000003
【図２】
2018137239.tif 000004
【図３】
2018137239.tif 000005
【図４】
2018137239.tif 000006
【図５】
2018137239.tif 000007
【図６】
2018137239.tif 000008
【図７】
2018137239.tif 000009
【図８】
2018137239.tif 000010
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
中心導体、前記中心導体の外周に配設された内部絶縁体、前記内部絶縁体の外周に配設された外部導体、前記外部導体の外周に配設された外被、をそれぞれ有する複数の同軸ケーブルと、平面状に配列された複数の前記同軸ケーブルの並列面の少なくとも一方に接着されて複数の前記同軸ケーブルの並列状態を維持する樹脂フィルムと、を有する同軸フラットケーブルと、
前記同軸フラットケーブルの長手方向の少なくとも一方の端部に接続された接続基板と、を有し、
前記接続基板は、２本の前記同軸ケーブルのそれぞれの前記中心導体がハンダ付けされた直線状の２つの信号端子部と、少なくとも一つの前記同軸ケーブルの前記外部導体に電気的に接続された１つの直線状のグランド端子部とからなる単位端子組を複数有し、
複数の前記単位端子組は、前記信号端子部の延びる方向と直交する方向について、２つの前記信号端子部と１つの前記グランド端子部とがこの順で並ぶように配列されており、
前記信号端子部と前記グランド端子部は前記単位端子組の配列方向と直交する方向に延び、
前記単位端子組の２つの前記信号端子部の配列ピッチは、これらにそれぞれ接続されている対にされた２本の前記同軸ケーブルのピッチＰ１に等しく、
隣接する前記単位端子組にそれぞれ接続された互いに近い側の２本の前記同軸ケーブルのピッチＰ２が、前記ピッチＰ１よりも広い状態で、複数の前記同軸ケーブルの並列状態を前記樹脂フィルムが維持し、
前記ピッチＰ２は前記ピッチＰ１の２倍以下である、配線部材。
【請求項２】
前記ピッチＰ２は前記ピッチＰ１の２倍である、請求項１に記載の配線部材。
【請求項３】
前記樹脂フィルムの長さ方向の端部から露出された前記外被が前記接続基板に接着されている、請求項１または請求項２に記載の配線部材。
【請求項４】
前記樹脂フィルムの長さ方向の端部が、前記同軸ケーブルの前記外被と前記接続基板との間に位置するように、前記同軸ケーブルの前記外被に接着されている、請求項１または請求項２に記載の配線部材。
【請求項５】
前記樹脂フィルムの前記端部が前記接続基板に接着されることにより、前記同軸ケーブルが前記接続基板に固定されている、請求項４に記載の配線部材。
【請求項６】
前記同軸ケーブルの露出された前記外部導体と、それより先端側の部分が保護フィルムで覆われている、請求項１または請求項２に記載の配線部材。
【請求項７】
前記保護フィルムは、前記同軸ケーブルの露出された前記外被と前記接続基板とに跨って接着されている、請求項６に記載の配線部材。
【請求項８】
前記単位端子組のそれぞれの前記グランド端子部は、前記同軸ケーブルの前記外被付近の部分が、パッド部によって連結されており、
少なくとも一つの前記同軸ケーブルの前記外部導体は、前記パッド部にハンダ付けされている、請求項１または請求項２に記載の配線部材。
【請求項９】
少なくとも一つの前記同軸ケーブルの前記外部導体が前記配列方向に延びるグランドバーにハンダ付けされ、前記グランド端子部が前記グランドバーに電気的に接続されている、請求項１または請求項２に記載の配線部材。
【請求項１０】
前記同軸フラットケーブルの端部において、先端に向かって、前記外部導体、前記内部絶縁体、前記中心導体がこの順に段階的に露出されており、
前記内部絶縁体から露出された前記中心導体のそれぞれが、前記接続基板の前記信号端子部にハンダ付けされている、請求項１から請求項９のいずれか一項に記載の配線部材。
【請求項１１】
複数の前記同軸ケーブルの前記並列面の両面に前記樹脂フィルムが設けられている、請求項１から請求項１０のいずれか一項に記載の配線部材。
【請求項１２】
前記接続基板は、単位端子組の配列方向の端部に設けられた前記信号端子部と隣接する位置に設けられ、前記単位端子組の配列方向と直交する方向に長い付加グランド端子部を有する、請求項１から請求項１１のいずれか一項に記載の配線部材。
【請求項１３】
前記同軸ケーブルは、単芯の同軸ケーブルである、請求項１から請求項１２のいずれか一項に記載の配線部材。